(57)【要約】【課題】ガラス扉の前側から磁石を用いて遊技球を特定領域に不正に誘導するゴト行為を行うことが不可能な弾球遊技機を提供する。【解決手段】遊技球が複数の領域のうちの特定領域３８に振り分けられることに基づいて利益状態を発生させるように構成された弾球遊技機で、特定領域３８の上流側で前側に分岐し且つ流入した遊技球をその自重により流下させる前分岐通路６８を設けたものである。【選択図】図７
2010136750.tif 000002
【特許請求の範囲】
【請求項１】
遊技球が複数の領域のうちの特定領域（３８）に振り分けられることに基づいて利益状態を発生させるように構成された弾球遊技機において、前記特定領域（３８）の上流側で前側に分岐し且つ流入した遊技球をその自重により流下させる前分岐通路（６８）を設けたことを特徴とする弾球遊技機。
【請求項２】
遊技球を前記特定領域（３８）側に案内する特定案内状態とそれ以外の通常案内状態とに切り換え可能な振り分け可動手段（４０）を備え、前記前分岐通路（６８）は前記振り分け可動手段（４０）が前記通常案内状態のときに遊技球が流入可能に構成されていることを特徴とする請求項１に記載の弾球遊技機。
【請求項３】
少なくとも前記通常案内状態のときには前記前分岐通路（６８）側への遊技球の流入が阻止されないように構成されていることを特徴とする請求項２に記載の弾球遊技機。
【請求項４】
前記振り分け可動手段（４０）の上流側近傍で前記特定領域（３８）に対して前記前分岐通路（６８）とは異なる方向に分岐する通常領域（３９）を設け、前記振り分け可動手段（４０）は前記通常案内状態のときに前記通常領域（３９）側に遊技球を誘導するように構成されていることを特徴とする請求項２又は３に記載の弾球遊技機。
【請求項５】
前記前分岐通路（６８）を通常領域とし、前記振り分け可動手段（４０）は、前記特定案内状態では前記特定領域（３８）側に、前記通常案内状態では前記前分岐通路（６８）側に遊技球を案内するように構成されていることを特徴とする請求項２又は３に記載の弾球遊技機。
【請求項６】
前記特定領域（３８）を通過する遊技球を検出する特定領域検出手段（６７）を備え、前記前分岐通路（６８）は、前記特定領域検出手段（６７）を迂回してその下流側で前記特定領域（３８）に合流するように構成されていることを特徴とする請求項１〜５の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機、アレンジボール機等の弾球遊技機では、例えば入球手段の内部に特定領域と通常領域とを設けると共に、入球手段に入球した遊技球を特定領域側に案内する特定案内状態と通常領域側に案内する通常案内状態とに切り換え可能な振り分け可動手段を例えば一定周期で作動させ、遊技球が特定領域側に案内されることに基づいて遊技者に有利な利益状態を発生させるように構成したものが知られている（例えば特許文献１参照）。
【特許文献１】特開２００８−１１９１１３号公報
【発明の開示】
【発明が解決しようとする課題】
【０００３】
この種の弾球遊技機では、ガラス扉の前側から強力な磁石を用いて振り分け可動手段の上流側で遊技球を保持し、振り分け可動手段が特定案内状態となったタイミングでその磁石による保持を解除することにより遊技球を特定領域に不正に誘導するゴト行為が行われる可能性があった。
【０００４】
本発明は上記事情に鑑みてなされたものであり、ガラス扉の前側から磁石を用いて遊技球を特定領域に不正に誘導するゴト行為を行うことが不可能な弾球遊技機を提供することを目的とする。
【課題を解決するための手段】
【０００５】
本発明は、遊技球が複数の領域のうちの特定領域３８に振り分けられることに基づいて利益状態を発生させるように構成された弾球遊技機において、前記特定領域３８の上流側で前側に分岐し且つ流入した遊技球をその自重により流下させる前分岐通路６８を設けたものである。
【発明の効果】
【０００６】
本発明によれば、ガラス扉の前側から磁石を用いて遊技球を特定領域３８側に不正に誘導しようとすると、遊技球は特定領域３８の前側の前分岐通路６８側に流入するため、そのような磁石によるゴト行為を成功させることは不可能である。
【発明を実施するための最良の形態】
【０００７】
以下、本発明の実施形態を図面に基づいて詳述する。図１〜図９は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【０００８】
前面板５には、その前側に、発射手段（図示省略）に供給するための遊技球を貯留する貯留皿６、発射手段を作動させるための発射ハンドル７等が設けられている。
【０００９】
ガラス扉４の略中央には例えば２枚のガラス板４ａが嵌め込まれたガラス窓４ｂが形成されており、その後側に対応して図２に示す遊技盤１１が配置され、前枠３に着脱自在に装着されている。遊技盤１１の前面側には、発射手段から発射された遊技球を案内するガイドレール１２が環状に装着されると共に、そのガイドレール１２の内側の遊技領域１３内には、例えばその略中央に振り分け入賞手段１４が、その周囲に普通図柄始動手段１５、普通図柄表示手段２４、普通図柄用演出図柄表示手段１６、特別図柄始動手段１７、特別図柄表示手段２５、大入賞手段１８、普通入賞手段１９、アウト口２０等が配置されている。振り分け入賞手段１４上には、例えば振り分け結果用演出図柄表示手段２１が設けられている。
【００１０】
普通図柄始動手段１５は、普通図柄表示手段２４による図柄変動を開始させるためのもので、遊技球が通過可能な通過ゲート等により構成されており、例えば振り分け入賞手段１４の左側に配置されている。
【００１１】
普通図柄表示手段２４は、普通図柄を変動表示するためのもので、７セグメント式等の表示手段により構成され、なるべく目立たないように例えば遊技領域１３内の周辺部に小さく設けられており、普通図柄始動手段１５が遊技球を検出することを条件に普通図柄を所定時間変動表示して、普通図柄始動手段１５による遊技球検出時に取得された当たり判定乱数値が予め定められた当たり判定値と一致する場合には所定の当たり態様で、一致しない場合には所定の外れ態様で停止させるようになっている。
【００１２】
また、例えば普通図柄表示手段２４の変動表示中に普通図柄始動手段１５が遊技球を検出した場合には、その検出時に取得された当たり判定乱数値が予め定められた上限保留個数、例えば４個を限度として記憶され、その後に普通図柄表示手段２４が変動可能となる毎に順次消化されるようになっている。なお、普通図柄には、遊技者がその種類を容易に区別できないように任意の線や点の組み合わせのような特別な意味を持たない図柄を割り当てることが望ましい。
【００１３】
普通図柄用演出図柄表示手段１６は、普通図柄表示手段２４による普通図柄の変動を演出するもので、普通図柄表示手段２４よりも目立つように例えば振り分け入賞手段１４の上側に大きく設けられている。普通図柄用演出図柄表示手段１６は、１個又は複数個、例えば３個の数字図柄等よりなる普通図柄用演出図柄を変動表示可能に構成されており、ある時は普通図柄表示手段２４による普通図柄の変動と時間的に同期して普通図柄用演出図柄を変動させ、またある時は普通図柄の変動と同期することなく普通図柄用演出図柄を独自に変動させ又はその他の演出画像を表示させるように構成されている。
【００１４】
普通図柄用演出図柄には、例えば「０」〜「９」の１０種類の数字図柄が用いられ、  「６・６・６」「７・７・７」等、３つの図柄が全て同じ図柄で揃ったものが当たり態様、少なくとも１つの図柄が異なるものが外れ態様となっており、例えば普通図柄の変動と時間的に同期して変動表示される場合には、普通図柄が当たり態様で停止する場合は当たり態様で、普通図柄が外れ態様で停止する場合は外れ態様で、夫々停止するようになっている。
【００１５】
なお、普通図柄表示手段２４による普通図柄の変動は後述する大当たり状態中も行われるが、普通図柄用演出図柄表示手段１６は大当たり状態中には所定の大当たり演出を行うようになっている。
【００１６】
特別図柄始動手段１７は、特別図柄表示手段２５による図柄変動を開始させるためのもので、開閉手段２３により遊技球が入賞可能な開状態と入賞不可能な閉状態とに切り換え可能な作動式入賞手段により構成されており、例えば振り分け入賞手段１４の下側に配置されている。この特別図柄始動手段１７は、普通図柄表示手段２４による普通図柄の変動後の停止図柄が当たり態様となって普通利益状態が発生したときに、開閉手段２３が所定時間、所定回数だけ閉状態から開状態に変化して、開状態のときに入賞した遊技球を検出するように構成されている。
【００１７】
特別図柄表示手段２５は、特別図柄を変動表示するためのもので、７セグメント式等の表示手段により構成され、なるべく目立たないように例えば遊技領域１３内の周辺部に小さく設けられており、特別図柄始動手段１７が遊技球を検出することを条件に特別図柄を所定時間変動表示して、特別図柄始動手段１７による遊技球検出時に取得された大当たり判定乱数値が予め定められた大当たり判定値と一致する場合には例えば大当たり態様に対応する「７」等の図柄で、それ以外の場合には小当たり態様に対応する図柄で夫々停止するようになっている。
【００１８】
なお、本実施形態では特別図柄表示手段２５については普通図柄表示手段２４のような保留機能、即ち例えば特別図柄表示手段２５の変動表示中に特別図柄始動手段１７に遊技球が入賞した場合にその入賞時に取得された大当たり判定乱数値等を夫々所定の上限保留個数を限度として記憶する機能を設けていないが、特別図柄表示手段２５についても保留機能を設けてもよい。
【００１９】
振り分け入賞手段１４は、図３〜図８に示すように、遊技盤１１の前面に沿って配置され且つねじ止め等により遊技盤１１に固定される前面装着板３１と、この前面装着板３１の前側に突出状に設けられる前構造体３２と、前面装着板３１の裏側に突出状に設けられ且つ装着孔１１ａに前側から嵌合する後構造体３３とで構成され、前構造体３２側に設けられ且つ開閉羽根３４により遊技球が入賞可能な開状態と入賞不可能な閉状態とに切り換え可能な開閉式入賞口３５と、例えば後構造体３３側に設けられ且つ開閉式入賞口３５に入賞した遊技球を所定の停留位置３６で一旦停留させた後で停留解除動作を行う停留手段３７と、例えば後構造体３３側に設けられ且つ停留手段３７による停留が解除された後の遊技球を特定通路（特定領域）３８側に案内する特定案内状態と通常通路（通常領域）３９側に案内する通常案内状態とに切り換え可能な振り分け可動手段４０とを備えている。
【００２０】
前構造体３２は、前面装着板３１の上部側に設けられ且つ例えば振り分け結果用演出図柄表示手段２１等が配置された庇部３２ａと、前面装着板３１の下部側に設けられる前部通路ケース３２ｂとで構成されており、それら庇部３２ａと前部通路ケース３２ｂとの間に入賞室４１が設けられ、その入賞室４１の内外を連通させるように左右一対の開閉式入賞口３５が形成されている。
【００２１】
開閉式入賞口３５は、前後方向の軸廻りに揺動可能な開閉羽根３４によって通常は閉状態（図４に一点鎖線で示す）に保たれており、特別図柄表示手段２５による特別図柄の変動後の停止図柄が小当たり態様となって小当たり状態が発生したとき、電磁ソレノイド等の開閉駆動手段４２が作動することにより開閉羽根３４が外向きに揺動して所定時間開状態（図４に実線で示す）となり、その上に落下した遊技球を入賞室４１側に案内するようになっている。
【００２２】
前部通路ケース３２ｂには、図３及び図４に示すように、左右の開閉式入賞口３５の内側近傍に配置され且つ開閉式入賞口３５に入賞した遊技球を検出する左右一対の入賞検出スイッチ４３と、その入賞検出スイッチ４３の下流側から左右方向中央の合流案内部４４まで遊技球を案内する左右一対の合流通路４５とが設けられており、開閉式入賞口３５に入賞した遊技球は、図３，図４に矢印で示すように左右の入賞検出スイッチ４３の何れかを通過した後、合流通路４５を経て合流案内部４４まで流下するようになっている。合流案内部４４は後ろ向き傾斜状に形成されており、合流通路４５側から流入した遊技球を後ろ向きに案内するようになっている。
【００２３】
後構造体３３は、図３に示すように、前面装着板３１の裏側に沿って遊技盤１１の板厚範囲内に配置される一層目の後部第１通路ケース４６と、遊技盤１１の背面側に沿ってその後側に配置される二層目の後部第２通路ケース４７と、その後部第２通路ケース４７の後側に設けられ且つ開閉駆動手段４２等が配置される駆動ケース４８とで構成されている。
【００２４】
後部第１通路ケース４６には、図３，図５，図７等に示すように、その上部側の左右方向中央に停留部５１が、その停留部５１の左右両側に余剰球案内部５２が設けられている。停留部５１は、合流案内部４４の後側に対応してそれよりも低い位置に設けられ、合流案内部４４により後ろ向きに案内された遊技球はこの停留部５１上に落下するようになっている。また、この停留部５１上には、上向き突出状の突条５３が前後方向に配置されており、この突条５３上が、停留手段３７により遊技球が一時停留される停留位置３６となっている。
【００２５】
停留手段３７は、その前端側に停留保持部５４が設けられた停留可動部材５５と、この停留可動部材５５を前後方向にスライド移動させる電磁ソレノイド等よりなる停留駆動手段５６とを備えており、例えば停留駆動手段５６が作動することにより停留可動部材５５が図３，図７等に示す前位置にあるとき、停留保持部５４が停留部５１上に位置するようになっている。なお、停留駆動手段５６は例えば駆動ケース４８上に配置されている。
【００２６】
停留保持部５４は、左右一対の側壁５４ａと、それら左右の側壁５４ａの前端側及び後端側を夫々左右に接続する前壁５４ｂ及び後壁５４ｃとで構成され、その内側に遊技球１個分の貫通孔５７が上下方向に形成されており、例えば停留駆動手段５６が作動して停留保持部５４が停留部５１上の停留位置３６にあるとき（図７参照）、貫通孔５７の下側が突条５３により遊技球通過不能に閉鎖され、その上側に落下してきた遊技球はその停留保持部５４内に保持されて停留位置３６に停留するようになっている。
【００２７】
なお、停留保持部５４により１個の遊技球が保持されている状態で更に後続の遊技球が流下してきた場合には、その遊技球は停留保持部５４に保持されることなく左右の余剰球案内部５２側に流下し、更にその後ろ側の余剰球通路５８を経て遊技盤１１の後側に案内されるようになっている。
【００２８】
後部第２通路ケース４７には、図３，図６，図８等に示すように、上下方向の停留球流下口６１と、この停留球流下口６１の下側に配置される上下方向の特定通路流入口６２と、この特定通路流入口６２の下側に配置される上下方向の特定通路３８と、特定通路流入口６２の上流側近傍から例えば左右方向の一方側に向けて配置される通常通路３９と、例えば停留球流下口６１の左右両側に外向きに配置される余剰球通路５８とが設けられている。
【００２９】
停留球流下口６１は、停留部５１の後側に上向き開口状に設けられており、例えば停留駆動手段５６が作動していないことにより停留手段３７の停留可動部材５５が図８に示す後位置に保持されているとき、停留保持部５４がこの停留球流下口６１上に位置するようになっている。停留保持部５４に１個の遊技球が停留している状態（図７）で例えば停留駆動手段５６の作動が停止されることにより停留可動部材５５が後ろ向きに移動し、停留保持部５４がその遊技球と共に停留球流下口６１上の停留解除位置に到達すると（図８）、停留保持部５４の貫通孔５７は突条５３による閉鎖状態から開放され、停留保持部５４内に保持されていた遊技球はその貫通孔５７を下向きに通過して停留球流下口６１内に流下する。
【００３０】
停留球流下口６１の下側には少なくとも遊技球１個分の通路長さに形成された分岐部６４が設けられ、その分岐部６４の下側に特定通路流入口６２を経て特定通路３８が、左右方向一方側に通常通路３９が夫々連通しており、特定通路流入口６２は振り分け可動手段４０により開閉可能となっている。
【００３１】
振り分け可動手段４０は、振り分け可動部材６５と、この振り分け可動部材６５を、特定通路流入口６２を閉鎖する特定通路閉鎖位置（図３，図７に実線で、図８に二点鎖線で示す）と、その後側に待避して特定通路流入口６２を開放する特定通路開放位置との間で前後方向にスライド移動させる電磁ソレノイド等よりなる振り分け駆動手段６６とを備えている。なお、振り分け駆動手段６６は例えば駆動ケース４８上に配置されている。
【００３２】
振り分け可動部材６５は、その上面側が遊技球を通常通路３９側に案内する左右方向の傾斜状に形成されており、例えば振り分け駆動手段６６が作動することにより振り分け可動部材６５が後側の特定通路開放位置にあるとき、停留球流下口６１側から流下してきた遊技球は、図８に実線矢印で示すように特定通路流入口６２を介して特定通路３８側に案内され（特定案内状態）、例えば振り分け駆動手段６６の作動が停止されて振り分け可動部材６５が前側の特定通路閉鎖位置にあるとき、停留球流下口６１側から流下してきた遊技球は、図８に一点鎖線矢印で示すように通常通路３９側に案内される（通常案内状態）ようになっている。
【００３３】
特定通路３８側、通常通路３９側に案内された遊技球は夫々下流端側の特定通路排出口３８ａ、通常通路排出口３９ａから遊技盤１１の裏側に向けて排出されるが、特定通路３８側に案内された遊技球については、その特定通路３８を通過する際に特定領域検出スイッチ（特定領域検出手段）６７によって検出される。
【００３４】
また、特定通路３８の前側には、例えば後部第１通路ケース４６と前部通路ケース３２ｂとに跨って前分岐通路６８が設けられている。この前分岐通路６８は、特定通路３８の上流側、即ち分岐部６４から前側に分岐する前分岐流入口６８ａと、この前分岐流入口６８ａの前側から特定通路３８と平行に設けられ且つ前分岐流入口６８ａ内に流入した遊技球を下向きに案内する縦案内通路部６８ｂと、この縦案内通路部６８ｂの下端側から後ろ向きに設けられ且つ縦案内通路部６８ｂ側から流下した遊技球を後ろ向きに案内する後案内通路部６８ｃとで構成され、この後案内通路部６８ｃの後端側が、例えば特定領域検出スイッチ（特定領域検出手段）６７の下流側で特定通路３８に合流しており、流入した遊技球をその自重により特定領域検出スイッチ６７を迂回して流下させるようになっている。
【００３５】
また、振り分け可動部材６５の上面側には前後方向に傾きはなく、遊技球を積極的に前分岐通路６８側に案内するようにはなっていないが、振り分け可動部材６５上を含めて特定通路流入口６２の近傍には前分岐通路６８側への遊技球の流入を阻止するものも設けられていない。従って、特定通路閉鎖位置にある振り分け可動部材６５上に落下した遊技球は、通常は図８に一点鎖線矢印で示すように振り分け可動部材６５の上面側の傾斜によって通常通路３９側に案内されるが、例えば何らかの原因で遊技球に前向きの力が作用した場合には前分岐通路６８側に流入する。
【００３６】
従って、図９に示すように、例えば振り分け可動部材６５が特定案内状態になるまで不正に遊技球を保持しようとガラス扉４の前側に強力な磁石ｍを近づけた場合には、遊技球は前側の前分岐通路６８側に流入するため、その磁石ｍによって遊技球を保持できたとしてもそれは前分岐通路６８内であり、振り分け可動部材６５が特定案内状態となったタイミングでその磁石ｍによる遊技球の保持を解除してもその遊技球を特定通路３８側に誘導することはできない。
【００３７】
振り分け結果用演出図柄表示手段２１は、振り分け可動手段４０による遊技球の振り分け動作を演出するもので、７セグメント式等の表示手段により例えば１個の振り分け結果用演出図柄を変動表示可能に構成されている。この振り分け結果用演出図柄表示手段２１は、開閉式入賞口３５に遊技球が入賞することを条件に振り分け結果用演出図柄の変動を開始し、その遊技球が振り分け可動手段４０により特定通路３８側に振り分けられた場合に「７」等の特定図柄で、それ以外の場合に「−」等の非特定図柄で停止するように構成されている。
【００３８】
大入賞手段１８は、遊技球が入賞可能な開状態と入賞不可能な閉状態とに切り換え可能な開閉板６９を備えた作動式入賞手段により構成され、例えば振り分け入賞手段１４の右側に配置されている。この大入賞手段１８は、特別図柄表示手段２５による特別図柄の変動後の停止図柄が大当たり態様となるか、又は振り分け入賞手段１４の開閉式入賞口３５に入賞した遊技球が特定通路３８側に振り分けられることにより大当たり状態が発生したときに、開閉板６９が所定の開放パターンに従って前側に開放して、その上に落下した遊技球を内部へと入賞させるようになっている。
【００３９】
なお、遊技領域１３の下部側には多数の入球口が横一列に配列されており、それらのうちの１又は複数個が普通入賞手段１９で、それ以外は全てアウト口２０となっている。
【００４０】
以上説明したように、本実施形態のパチンコ機は、特定通路３８の上流側で前側に分岐し且つ流入した遊技球をその自重により流下させる前分岐通路６８を設け、この前分岐通路６８は振り分け可動手段４０が通常案内状態のときに遊技球が流入可能に構成されているため、ガラス扉４の前側から磁石ｍを用いて遊技球を特定通路３８側に不正に誘導しようとすると、遊技球は特定通路３８の前側の前分岐通路６８側に流入するため、そのような磁石ｍによるゴト行為を成功させることは不可能である。
【００４１】
また、少なくとも通常案内状態のときには前分岐通路６８側への遊技球の流入が阻止されないため、ガラス扉４の前側から磁石ｍを使用された場合に遊技球を確実に前分岐通路６８側に案内できる。また、特定通路３８を通過する遊技球を検出する特定領域検出スイッチ６７を備え、前分岐通路６８は、特定領域検出スイッチ６７を迂回してその下流側で特定通路３８に合流するように構成されているため、前分岐通路６８に要するスペースを最小限にできる。
【００４２】
図１０及び図１１は本発明の第２の実施形態を例示し、第１の実施形態における通常通路３９をなくして前分岐通路６８を通常領域とし、振り分け可動手段４０は、特定案内状態では特定通路３８側に、通常案内状態では前分岐通路６８側に遊技球を案内するように構成した例を示している。
【００４３】
図１０及び図１１に示すように、本実施形態では第１の実施形態における通常通路３９をなくし、前分岐通路６８を通常通路としている。そして、振り分け可動部材６５は、その上面側が遊技球を前側、即ち振り分け可動部材６５側に案内する前下がりの傾斜状に形成されており、例えば振り分け駆動手段６６の作動が停止されて振り分け可動部材６５が前側の特定通路閉鎖位置にあるとき、停留球流下口６１側から流下してきた遊技球は図１１（ａ）に矢印で示すように前分岐通路６８側に案内され（通常案内状態）、例えば振り分け駆動手段６６が作動することにより振り分け可動部材６５が後側の特定通路開放位置にあるとき、停留球流下口６１側から流下してきた遊技球は図１１（ｂ）に矢印で示すように特定通路流入口６２を介して特定通路３８側に案内される（特定案内状態）ようになっている。
【００４４】
このように、前分岐通路６８を通常通路とすれば、ガラス扉４の前側から磁石ｍを用いて遊技球を特定通路３８側に不正に誘導するゴト行為を防止しつつ通路スペースを最小化できる利点がある。
【００４５】
以上、本発明の実施形態について詳述したが、本発明はこれらの実施形態に限定されるものではなく、本発明の趣旨を逸脱しない範囲で種々の変更が可能である。例えば、実施形態では、振り分け可動手段４０の上流側に遊技球を一時停留させる停留手段３７を配置した例を示したが、この停留手段３７は必須ではなく、開閉式入賞口３５に入賞した遊技球がそのまま振り分け可動手段４０により振り分けられるように構成してもよい。
【００４６】
振り分け可動手段４０は、遊技球を特定領域側に案内する特定案内状態とそれ以外の通常案内状態とに切り換え可能であればよく、その具体的構成や可動タイミングは任意である。例えば、振り分け可動手段４０は、特定領域と通常領域とを択一的に開放して遊技球をその開放側に誘導するように構成してもよいし、可動タイミングは一定周期でなくてもよい。
【００４７】
また、振り分け可動手段４０も必須ではなく、遊技球が特定領域３８を含む複数の領域に振り分けられるように構成されていればよい。
【００４８】
前分岐通路６８は、特定領域３８の上流側で前側に分岐し且つ流入した遊技球をその自重により特定領域検出手段６７を避けて流下させるものであればよく、その分岐後の配置経路は任意である。
【００４９】
また、本発明はパチンコ機に限らず、アレンジボール機、雀球遊技機等の各種の弾球遊技機においても同様に実施することが可能である。
【図面の簡単な説明】
【００５０】
【図１】本発明の第１の実施形態におけるパチンコ機の全体斜視図である。
【図２】遊技盤の正面図である。
【図３】振り分け入賞手段の左右方向中央における側面断面図である。
【図４】図３におけるＡ矢視断面図である。
【図５】図３におけるＢ矢視断面図である。
【図６】図３におけるＣ矢視断面図である。
【図７】停留手段が停留位置にあるときの振り分け入賞手段の斜視断面図である。
【図８】停留手段が停留解除位置にあるときの振り分け入賞手段の断面斜視図である。
【図９】ガラス扉の前側に磁石が近づけられた場合の遊技球の流下経路の説明図である。
【図１０】本発明の第２の実施形態における振り分け入賞手段の斜視断面図である。
【図１１】特定案内状態と通常案内状態とにおける遊技球の流下経路の説明図である。
【符号の説明】
【００５１】
３８  特定通路（特定領域）
３９  通常通路（通常領域）
４０  振り分け可動手段
６７  特定領域検出スイッチ（特定領域検出手段）
６８  前分岐通路
【図１】
2010136750.tif 000003
【図２】
2010136750.tif 000004
【図３】
2010136750.tif 000005
【図４】
2010136750.tif 000006
【図５】
2010136750.tif 000007
【図６】
2010136750.tif 000008
【図７】
2010136750.tif 000009
【図８】
2010136750.tif 000010
【図９】
2010136750.tif 000011
【図１０】
2010136750.tif 000012
【図１１】
2010136750.tif 000013